(57)【特許請求の範囲】
【請求項１】
天井梁、床梁、柱によって骨組みが形成される建物ユニットを複数隣接させて構成されるユニット建物の間仕切構造において、
横方向に隣接する双方の建物ユニットの柱間、天井梁のウェブ間および床梁のウェブ間に隙間を設け、双方の天井梁のウェブの両端側で連結部材により連結し、双方の連結部材にレールを直接または間接的に結合し、このレールに、前記双方の建物ユニットの室内空間を仕切るための可動間仕切を前記レールの長さ方向に伸縮可能に形成してスライド移動自在に吊り下げ、
前記可動間仕切が、全開時に、前記双方の建物ユニットの壁側に位置する柱の内壁板間の隙間に収納される場合は、前記可動間仕切を当該双方の内壁板の室内側面と面一になるように形成したことを特徴とするユニット建物の間仕切構造。
【請求項２】
天井梁、床梁、柱によって骨組みが形成される建物ユニットを複数隣接させて構成されるユニット建物の間仕切構造において、
横方向に隣接する双方の建物ユニットの柱間、天井梁のウェブ間および床梁のウェブ間に隙間を設け、双方の天井梁のウェブの両端側で連結部材により連結し、双方の連結部材にレールを直接または間接的に結合し、このレールに、前記双方の建物ユニットの室内空間を仕切るための可動間仕切を前記レールの長さ方向に伸縮可能に形成してスライド移動自在に吊り下げ、
前記可動間仕切が、全開時に、前記双方の建物ユニットの室内側に位置する柱の内壁板間の隙間に収納される場合は、前記可動間仕切を当該双方の内壁板の室内側面と面一になるように形成したことを特徴とするユニット建物の間仕切構造。
【請求項３】
天井梁、床梁、柱によって骨組みが形成される建物ユニットを複数隣接させて構成されるユニット建物の間仕切構造において、
横方向に隣接する双方の建物ユニットの柱間、天井梁のウェブ間および床梁のウェブ間に隙間を設け、双方の天井梁のウェブの両端側で連結部材により連結し、双方の連結部材にレールを直接または間接的に結合し、このレールに、前記双方の建物ユニットの室内空間を仕切るための可動間仕切を前記レールの長さ方向に伸縮可能に形成してスライド移動自在に吊り下げ、
前記双方の連結部材に前記レールを間接的に結合する場合には、前記双方の連結部材と前記レールとの間に、前記レールの取付位置を予め設定した天井材を配置したことを特徴とするユニット建物の間仕切構造。
【請求項４】
請求項２または請求項３に記載のユニット建物の間仕切構造において、
前記可動間仕切が、全開時に、前記双方の建物ユニットの壁側に位置する柱の内壁板間の隙間に収納される場合は、前記可動間仕切を当該双方の内壁板の室内側面と面一になるように形成したことを特徴とするユニット建物の間仕切構造。
【請求項５】
請求項１または請求項３に記載のユニット建物の間仕切構造において、
前記可動間仕切が、全開時に、前記双方の建物ユニットの室内側に位置する柱の内壁板間の隙間に収納される場合は、前記可動間仕切を当該双方の内壁板の室内側面と面一になるように形成したことを特徴とするユニット建物の間仕切構造。
【請求項６】
請求項１または請求項２に記載のユニット建物の間仕切構造において、
前記双方の連結部材に前記レールを間接的に結合する場合には、前記双方の連結部材と前記レールとの間に、前記レールの取付位置を予め設定した天井材を配置したことを特徴とするユニット建物の間仕切構造。
【請求項７】
請求項１〜請求項６のいずれか１項に記載のユニット建物の間仕切構造において、
前記双方の連結部材および前記レールを、前記双方の天井梁のウェブ間の隙間に配置されるように形成したことを特徴とするユニット建物の間仕切構造。
【請求項８】
請求項１〜請求項７のいずれか１項に記載のユニット建物の間仕切構造において、
前記ユニット建物の室内に、前記双方の建物ユニットの室内空間を仕切る可動性の収納ユニットを配置したことを特徴とするユニット建物の間仕切構造。
【請求項９】
請求項１〜請求項８のいずれか１項に記載のユニット建物の間仕切構造において、
前記双方の連結部材は、それぞれ、前記双方の天井梁のウェブの長手方向に間隔を置いて配置されて当該双方のウェブに固定された複数の支持材と、この複数の支持材に架け渡されて固定された連結面材とを備え、双方の連結面材に前記レールを結合したことを特徴とするユニット建物の間仕切構造。
【請求項１０】
請求項９に記載のユニット建物の間仕切構造において、
前記支持材を、前記双方の天井梁のウェブ間における長さを調整する長さ調整手段を介して当該双方の天井梁のウェブに固定したことを特徴とするユニット建物の間仕切構造。
【請求項１１】
請求項９または請求項１０に記載のユニット建物の間仕切構造において、
前記柱および前記天井梁を、それぞれの側面に当接させる当接面を備えた接合枠材を介して接合し、前記支持材を当該接合枠材を介して前記双方の天井梁のウェブに固定したことを特徴とするユニット建物の間仕切構造。
【請求項１２】
請求項１〜請求項１１のいずれか１項に記載のユニット建物の間仕切構造において、
前記双方の床梁のウェブ間の隙間の上方に、床パネルを当該双方の床梁に跨って設置したことを特徴とするユニット建物の間仕切構造。
【発明の詳細な説明】
【技術分野】
【０００１】
本件発明は、ユニット建物の間仕切構造に関する。
【背景技術】
【０００２】
従来より、建物ユニットは、天井梁、床梁、柱によって骨組みが形成されており、建物ユニットを複数隣接させてユニット建物が構成されている。
【０００３】
一方、住まいにおけるライフスタイルは様々である。例えば同一の住居においては、夫婦二人だけのライフスタイル、その後の子供とのライフスタイル等がある。そのため、このようなライフスタイルの変化に対応して間取りを自由に変更することが望まれている。
【０００４】
間取りを自由に変更する方法としては、特許文献１や特許文献２のようなユニット建物の間仕切構造が提案されている。この間仕切構造は、横方向に隣接する建物ユニットの境界部分の床面と天井面にレールを配置し、双方のレールに可動間仕切がスライド移動自在に装着されている。この可動間仕切はレールの長さ方向に伸縮可能に形成されている。したがって、住人が可動間仕切をスライド移動することによって建物の室内空間を自由に仕切る、つまり、間取りを自由に変更することが可能になっている。
【先行技術文献】
【特許文献】
【０００５】
【特許文献１】特開２００１−３０３６９７号公報
【特許文献２】特開２００８−１５６８５５号公報
【発明の概要】
【発明が解決しようとする課題】
【０００６】
しかしながら、従来のユニット建物の間仕切構造では、床面にレールを配置しているので室内空間のデザイン性に欠けていた。
【０００７】
本件発明は、このような従来の課題に鑑みてなされたものであり、ユニット建物の室内空間のデザイン性を高めつつ間取りを自由に変更することができるユニット建物の間仕切構造を提供することを目的とする。
【課題を解決するための手段】
【０００８】
本件発明者等は、鋭意研究の結果、前記課題を解決するために以下のようなユニット建物の間仕切構造を採用した。
【０００９】
本件発明のユニット建物の間仕切構造は、天井梁、床梁、柱によって骨組みが形成される建物ユニットを複数隣接させて構成されるユニット建物の間仕切構造において、
横方向に隣接する双方の建物ユニットの柱間、天井梁のウェブ間および床梁のウェブ間に隙間を設け、双方の天井梁のウェブの両端側で連結部材により連結し、双方の連結部材にレールを直接または間接的に結合し、このレールに、前記双方の建物ユニットの室内空間を仕切るための可動間仕切を前記レールの長さ方向に伸縮可能に形成してスライド移動自在に吊り下げたことを特徴としている。
【００１０】
ここで、双方の連結部材およびレールを、双方の天井梁のウェブ間の隙間に配置されるように形成することが好ましい。
【００１１】
また、可動間仕切が、全開時に、双方の建物ユニットの壁側に位置する柱の内壁板間の隙間に収納される場合は、可動間仕切を双方の内壁板の室内側面と面一になるように形成することが好ましい。
【００１２】
また、可動間仕切が、全開時に、双方の建物ユニットの室内側に位置する柱の内壁板間の隙間に収納される場合は、可動間仕切を双方の内壁板の室内側面と面一になるように形成することが好ましい。
【００１３】
また、双方の連結部材にレールを間接的に結合する場合には、双方の連結部材とレールとの間に、レールの取付位置を予め設定した天井材を配置することが好ましい。
【００１４】
また、ユニット建物の室内に、双方の建物ユニットの室内空間を仕切る可動性の収納ユニットを配置しても良い。
【００１５】
また、双方の連結部材は、それぞれ、双方の天井梁材のウェブの長手方向に間隔を置いて配置されて双方のウェブに固定された複数の支持材と、この複数の支持材に架け渡されて固定された連結面材とを備えていることが好ましい。この場合には、双方の連結面材にレールを結合することが好ましい。
【００１６】
また、支持材を、双方の天井梁のウェブ間における長さを調整する長さ調整手段を介して双方のウェブに固定することが好ましい。
【００１７】
また、柱および天井梁を、それぞれの側面に当接させる当接面を備えた接合枠材を介して接合し、支持材を接合枠材を介して双方の天井梁のウェブに固定することが好ましい。
【００１８】
また、双方の床梁のウェブ間の隙間の上方に、床パネルを双方の床梁に跨って設置することが好ましい。
【発明の効果】
【００１９】
本件発明のユニット建物の間仕切構造では、横方向に隣接する双方の建物ユニットの天井梁間に隙間を設け、この隙間を利用して天井側にレールを設け、このレールに可動間仕切を吊り下げるようにした。このため、可動間仕切の設置に際して床面にレールを設ける必要がないので、本件発明のユニット建物の間仕切構造は、ユニット建物の室内空間のデザイン性を高めつつ間取りを自由に変更することができる。
【図面の簡単な説明】
【００２０】
【図１】本件発明の一実施の形態のユニット建物の二階の間取り図である。
【図２】同実施の形態のユニット建物の壁側の間仕切構造の平面図である。
【図３】図２のＡ−Ａ断面図である。
【図４】同実施の形態の可動間仕切ユニットの斜視図である。
【図５】同実施の形態の可動間仕切ユニットと連結面材との結合状態を示す図である。
【図６】図２の周辺部分を含めた構造を示す断面図である。
【図７】同実施の形態の間仕切構造の床側の断面図である。
【図８】同実施の形態の柱間の間仕切構造の概略図である。
【図９】別の実施の形態の可動間仕切ユニットと連結面材との結合状態を示す図である。
【図１０】別の実施の形態の可動間仕切ユニットと連結面材との結合状態を示す図である。
【図１１】別の実施の形態の可動間仕切ユニットと連結面材との結合状態を示す図である。
【図１２】子供が０歳のときの間取り図である。
【図１３】子供が二人になって小学生のときの間取り図である。
【図１４】子供二人が小学生と中学生のときの間取り図である。
【図１５】子供二人が独立して夫婦二人になったときの間取り図である。
【発明を実施するための形態】
【００２１】
以下、本件発明の実施の形態を図にしたがって説明する。
【００２２】
図１は、本件発明の一実施の形態のユニット建物１の二階の間取り図である。このユニット建物１は、工場で製作される複数の建物ユニット１Ａ〜１Ｆを現場で接合することによって構築される。なお、この建物ユニット１Ａ〜１Ｆの下には同様の構成の建物ユニット１Ａ〜１Ｆが載置されている。
【００２３】
このユニット建物１において、横方向に隣接する建物ユニット（１Ａ，１Ｂ）、（１Ｂ，１Ｃ）、（１Ｄ，１Ｅ）、（１Ｅ，１Ｆ）、（１Ａ，１Ｄ）、（１Ｂ，１Ｅ）、（１Ｃ，１Ｆ）の間には、２０〜３０ｃｍ程度の隙間１０１が形成されている。これらの隙間１０１には、本件発明の間仕切構造が設けられている。
【００２４】
図２は、建物ユニット１Ａ，１Ｂ間の壁側の間仕切構造の平面図である。各建物ユニット１Ａ〜１Ｆは、周知のようにボックス形のラーメン構造体（骨組構造体）に形成されている。ラーメン構造体とは、四隅に配置される柱１１と、隣り合う柱１１、１１の下端間に架け渡された床梁１２（図７参照）と、隣り合う柱１１、１１の上端間に架け渡された天井梁１３とによって形成されるものである。なお、図１では、床梁１２は天井梁１３の下側に位置するために点線で示している。
【００２５】
柱１１は角形鋼管によって形成され、床梁１２及び天井梁１３は断面視コ字形の溝形鋼材によって形成されている。柱１１と天井梁１３は接合枠材１４を介して接合されている。
【００２６】
この接合枠材１４は、柱当接面１４ａと梁当接面１４ｂとを備えている。柱当接面１４ａと梁当接面１４ｂは略直交するように形成されている。柱当接面１４ａは柱１１の側面に当接して溶接接合されている。梁当接面１４ｂは、天井梁１３のウェブ１３１（側面）に当接して溶接接合されている。
【００２７】
また、図１で説明した隙間１０１は、建物ユニット１Ａ，１Ｂの柱１１，１１間、天井梁１３、１３のウェブ１３１、１３１間、床梁１２、１２のウェブ１２１、１２１間（図７参照）に形成されている。
【００２８】
天井梁１３、１３のウェブ１３１、１３１間の隙間１０１には連結部材２が配置されている。この連結部材２は、柱１１と天井梁１３の接合部の近傍の対向するウェブ１３１、１３１の上部に結合されている。
【００２９】
また、この連結部材２は、接合部の近傍にそれぞれ配置されるので、建物ユニット１Ａ、１Ｂ間においては、天井梁１３、１３の長手方向の両端付近にそれぞれ配置されている。連結部材２，２間には、天井梁１３、１３の長手方向に沿って空間が形成されている。
【００３０】
この連結部材２の配置位置をさらに詳細に説明すると、連結部材２は、柱１１と天井梁１３とを接合する接合枠材１４が設けられている位置に配置されている。
【００３１】
また、この連結部材２は、天井梁１３の長手方向に間隔を置いて配置される複数の支持材２１Ａ，２１Ｂと、それらの支持材２１Ａ，２１Ｂに架け渡されて固定された連結面材２４とを備えている。
【００３２】
図３に示すように、支持材２１Ａ，２１Ｂは、柱１１と天井梁１３とを接合する接合枠材１４の側面に取り付けられている。一方の支持材２１Ａは柱１１に近接して取り付けられており、他方の支持材２１Ｂは接合枠材１４の端縁付近に取り付けられている。
【００３３】
これらの支持材２１Ａ，２１Ｂには、例えば六角柱状の本体部２１１の両端に雌ネジ穴２１２，２１２が設けられており、その雌ネジ穴２１２に図２に示すように天井梁１３の内側からボルト２２を螺入して、接合枠材１４を介して支持材２１Ａ，２１Ｂを天井梁１３のウェブ１３１，１３１にそれぞれ固定する。すなわち、このボルト２２の螺入する長さによって支持材２１Ａ，２１Ｂの長さが調整される。
【００３４】
ここで、図２に示した一方の支持材２１Ａは、本体部２１１の両端がそれぞれ接合枠材１４，１４の側面に当接しているので、ボルト２２，２２だけで固定される。他方の支持材２１Ｂは、本体部２１１と接合枠材１４との間にボルト２２が露出しているので、その部分にナット２３を嵌めて接合枠材１４への固定をおこなう。
【００３５】
一方、連結面材２４は、図２に示すように平面視略台形に成形されており、隙間１０１に配置し易くなっている。また、この連結面材２４は、先細りの形状によって支持材２１Ｂの近傍で接合枠材１４，１４との間に間隙が生じるので、容易にナット２３，２３の締付けをおこなうことができる。
【００３６】
また、この連結面材２４は、図３に示すように台形の上下辺となる両縁部がフック状に折り曲げられて支持材２１Ａ，２１Ｂに引掛けられるようになっている。このため、地震などでユニット建物１が変形して支持材２１Ａ，２１Ｂの間隔が広がる方向の力が作用しても、この連結面材２４の拘束によって支持材２１Ａ，２１Ｂの間隔の広がりは抑えられる。
【００３７】
このように、双方の天井梁１３，１３間が、長手方向の両端で連結部材２，２によって連結されることにより、建物ユニット１Ａ，１Ｂ間の剪断方向及び隙間１０１の幅方向の変形が拘束される。ここで、建物ユニット１Ａ，１Ｂ間の剪断方向の変形とは、建物ユニット１Ａ，１Ｂ間に相対的に上下方向や天井梁１３の長手方向の変位が生じることをいう。また、隙間１０１の幅方向の変形とは、建物ユニット１Ａ，１Ｂ間の距離が近づいたり離れたりする方向の変位が生じることをいう。
【００３８】
また、天井梁１３，１３間の長手方向の両端において、建物ユニット１Ａ，１Ｂ間の剪断方向及び隙間１０１の幅方向の変形が拘束される構成であれば、それ以外の部分に構造部材を配置する必要がなく、材料費が抑えられた簡素な構成にすることができる。
【００３９】
また、連結部材２，２の配置箇所以外では天井梁１３，１３を撓ませることができるので、大地震が起きるとラーメン構造体（骨組構造体）を構成する天井梁１３が連結部材２，２間の非剛性部で撓んで、その変形によって地震のエネルギーが吸収され、ユニット建物１が倒壊するような被害を防ぐことができる。
【００４０】
すなわち、天井梁１３の長手方向に間隔を置いて配置される複数の支持材２１Ａ，２１Ｂと、それらの支持材２１Ａ，２１Ｂ間に架け渡される連結面材２４とによって連結部材２を構成すれば、支持材２１Ａ，２１Ｂによって相対的な建物ユニット１Ａ，１Ｂ間の剪断方向の変形が拘束されるうえに、支持材２１Ａ，２１Ｂ間に架け渡される連結面材２４によって隙間１０１の幅方向の変形を拘束することができる。
【００４１】
そして、このように複数の支持材２１Ａ，２１Ｂ間が連結面材２４で連結されていれば、天井梁１３，１３間の水平方向の連結が面でおこなわれ、水平力が作用してもユニット建物１にねじれが発生し難い。
【００４２】
また、長さ調整手段を備えた支持材２１Ａ，２１Ｂであれば、建物ユニット１Ａ，１Ｂ間の隙間１０１の幅に多少の誤差が生じたとしても、長さ調整手段によって調整することで、容易に支持材２１Ａ，２１Ｂを天井梁１３，１３間に固定することができる。
【００４３】
特に、柱１１と天井梁１３とを接合枠材１４を介して接合することで接合部が補強されるうえに、その接合枠材１４を介して連結部材２を固定するようにすることで、より強固な連結構造とすることができる。
【００４４】
そして、このように連結部材２を強度の大きな柱１１と天井梁１３の接合部の近傍に設けることで、連結部材２を介して伝達される水平力によって天井梁１３が変形することを防ぐことができる。
【００４５】
さらに、隙間１０１によってユニット建物１の大きさを調整できるので、建物ユニット１Ａ〜１Ｆの倍数という大きさの制限を離れて、自由にユニット建物１の形状や間取りを設計することができる。
【００４６】
一方、図３〜図５に示すように、連結面材２４，２４の両縁部以外の部分（基部２４ａ，２４ａ）の下面には、市販の可動間仕切ユニット５が固定されている。この可動間仕切ユニット５は、建物ユニット１Ａ、１Ｂの室内空間を仕切るために用いられ、レール５１と、可動間仕切５２とを備えている。
【００４７】
レール５１は、連結面材２４，２４の基部２４ａ，２４ａの下面に架け渡されて結合されている。このレール５１は、レール本体５１１と、２つの取付ブラケット５１２とを備えている。レール本体５１１は、下方へ開口した略断面コ字型に形成されている。２つの取付ブラケット５１２は、レール本体５１１を連結面材２４、２４に取り付けるものである。２つの取付ブラケット５１２はそれぞれ連結面材２４に取り付けられており、２つの取付ブラケット５１２にレール本体５１１が着脱可能に取り付けられている。
【００４８】
また、図５に示すように、レール５１は、連結面材２４，２４の基部２４ａ，２４ａの下面に結合した状態で、天井梁１３、１３のウェブ１３１、１３１間の隙間１０１に配置されるように形成されている。
【００４９】
また、可動間仕切５２は、建物ユニット１Ａ、１Ｂの室内空間を仕切るものである。この可動間仕切５２は、複数の支持部材５２１と、複数の間仕切部材５２２と、複数の連結紐５２３と、操作部５２４とを備えている。
【００５０】
支持部材５２１は、レール本体５１１内に嵌め込まれており、レール本体５１１の長さ方向にスライド移動に支持されている。間仕切部材５２２は、上部が支持部材５２１に着脱可能に取り付けられている。連結紐５２３は、図４に示すように隣り合う間仕切部材５２２、５２２の下部をつなぐように取り付けられている。以上のような構成により、可動間仕切５２は、レール５１に対して、レール５１の長さ方向にスライド移動自在に吊り下げられている。
【００５１】
操作部５２４は、２本の操作棒５２４ａと、操作機構５２４ｂとを備えている。操作機構５２４ｂは各支持部材５２１を連結して設けられており、操作棒５２４ａは、操作機構５２４ｂの両端側に設けられている。以下に、可動間仕切５２の開閉操作を説明する。
【００５２】
図４では、可動間仕切５２の全閉状態を示している。この状態から、壁側（図４の手前側）の操作棒５２４ａを建物中央側（図４の奥側）へ移動させると、間仕切部材５２２が全体的に建物中央側へスライド移動して縮み、全開状態になる。また、この状態から壁側の操作棒５２４ａを元の位置まで戻すと、間仕切部材５２２が全体的に壁側へスライド移動して伸ばされ、全閉状態になる。建物中央側にある操作棒５２４ａも同様に操作することで可動間仕切５２を開閉させることが可能になっている。以上のような構成により、可動間仕切５２は、レール５１の長さ方向に伸縮して開閉するように形成されている。
【００５３】
このように本実施の形態のユニット建物１の間仕切構造では、建物ユニット１Ａ、１Ｂの天井梁１３、１３間に隙間１０１を設け、この隙間１０１を利用して天井側にレール５１を設け、このレール５１に可動間仕切５２を吊り下げるようにした。したがって、可動間仕切５２の設置に際して床面にレールを設ける必要がなく、一続きの床にすることが可能になる。よって、本実施の形態のユニット建物１の間仕切構造は、ユニット建物１の室内空間のデザイン性を高めつつ間取りを自由に変更することができる。
【００５４】
また、可動間仕切５２は、操作棒５２４ａを回転させると、操作機構５２４ｂにより各間仕切部材５２２が左右に回動するようになっている。したがって、採光性や通気性を容易に調整することが可能になり、住民が快適に過ごすことができる。
【００５５】
また、本実施の形態のユニット建物１の間仕切構造では、連結部材２とレール５１を、双方の天井梁１３、１３のウェブ１３１、１３１間の隙間１０１に配置されるように形成した。したがって、室内において連結部材２やレール５１が目立たない状態になるので、室内空間のデザイン性をさらに高めることができる。
【００５６】
図６に、図２の周辺部分を含めた構造の断面図を示す。建物ユニット１Ａ，１Ｂの外面側には外壁パネル３１Ａが取り付けられている。外壁パネル３１Ａの内側にはグラスウールなどの断熱材３３１が配設されており、断熱材３３１の内側には木桟３３ｂを介して内壁板３３（仕上げ材）が取り付けられている。可動間仕切５２は、全開時に、双方の内壁板３３，３３間の隙間１０１に収納されるように形成されており、その場合には双方の内壁板３３，３３の室内側面３３ａ，３３ａと面一になるように形成されている。したがって、可動間仕切５２の全開時（非使用時）には、可動間仕切５２が内壁板３３，３３から室内に出ていない状態になる。よって、室内空間のデザイン性をさらに高めることができる。
【００５７】
図７に、間仕切構造の床側の断面図を示す。建物ユニット１Ａ，１Ｂの床梁１２、１２のウェブ１２１、１２１間の隙間１０１の上方には、床パネル３２が床梁１２、１２に跨って設置されている。この床パネル３２は、床梁１２，１２間に架け渡される渡り根太３２１と、その上に張設されるパーチクルボードなどの板材によって構成される。
【００５８】
ここで、隙間１０１が２０−３０ｃｍ程度であれば、特別に補強して剛性を上げなくても、床パネル３２を床梁１２、１２に跨って設置することができる。具体的には、床パネル３２を、渡り根太３２１（３０ｃｍ四方程度の角材）と、パーチクルボード（厚さ１５−２０ｍｍ程度）で構成することができる。
【００５９】
図８に、ユニット建物１の室内の柱間の間仕切構造の概略図を示す。室内において隣接する四つの建物ユニット１Ａ，１Ｂ，１Ｄ，１Ｅの各柱１１の外周には木桟１１ｂを介して内壁板１１ａ（仕上げ材）が設けられている。ここで、可動間仕切５２は、全開時に、隣接する双方の内壁板１１ａ，１１ａ間の隙間１０１に収納されるように形成されており、その場合には、双方の内壁板１１ａ，１１ａの室内側面１１ｃ，１１ｃと面一になるように形成されている。したがって、可動間仕切５２の全開時（非使用時）には、可動間仕切５２が内壁板１１ａ，１１ａから室内に出ていない状態になる。よって、室内空間のデザイン性をさらに高めることができる。
【００６０】
また、本実施の形態では、図５に示したように、双方の連結面材２４，２４にレール５１を直接結合するようにしたが、図９に示すように、双方の連結面材２４，２４にレール５１を間接的に結合するようにしても良い。
【００６１】
これについて具体的に説明すると、双方の連結面材２４，２４の基部２４ａ，２４ａの下面と双方の梁１３，１３のウェブ１３１，１３１とには、木桟１３１ｂを介して天井材１３１ａ（仕上げ材）が設けられている。この天井材１３１ａは、下方が開口したコ字型に形成されている。レール５１は、この天井材１３１ａの上部の下面に取付ブラケット６１２が結合し、この取付ブラケット６１２にレール本体５１１が装着されている。このようにレール５１を連結面材２４，２４に間接的に結合することにより、地震等で連結面材２４，２４に生じる振動をレール５１に伝わりにくくすることが可能になる。よって、振動によるレール５１の撓みを防止できる。
【００６２】
また、図１０に示すように双方の連結面材２４，２４の基部２４ａ，２４ａの下面にレール５１の取付位置（位置決め手段）を予め設定し、この位置決め手段にレール５１を結合しても良い。位置決め手段としては、例えば図１０に示すように、基部２４ａ，２４ａの下面にそれぞれ位置決め部材２５を設ける。この位置決め部材２５は下面に位置決め溝２５ａが設けられており、この位置決め溝２５ａは取付ブラケット５１２が嵌め込まれるように形成されている。したがって、作業者は、レール５１の取付作業に際し、取付ブラケット５１２を位置決め溝２５ａに嵌め込むことにより取付ブラケット５１２を容易に設置でき、これによりレール本体５１１も容易に設置することができる。よって、レール５１の取付作業スペースが狭くてもレール５１の取付け作業性を向上することができる。
【００６３】
その他の位置決め手段としては、図示しないが、位置決め部材２５に位置決め溝２５ａを設ける代わりに位置決め線を設定しても良い。また、双方の基部２４ａ，２４ａの下面に位置決め線を設けたりしても良い。その他には、双方の基部２４ａ，２４ａの下面に被係合部材をそれぞれ設け、取付ブラケット２１に被係合部材と係合する係合部材を設けても良い。また、基部２４ａの厚みが十分である場合には、基部２４ａの下面に直接位置決め溝を設けても良い。また、連結面材２４，２４とレール５１とを予め一体にして形成しても良い。この場合には、連結面材２４，２４の取付作業を行うだけでレール５１の取付作業も同時に行われるので、レール５１の取付作業の作業性を向上することができる。
【００６４】
図１１に示すように、双方の連結面材２４，２４にそれぞれ木桟１３１ｂと天井材１３１ａとを介して間接的にレール５１が取り付けられる場合には、双方の天井材１３１ａ，１３１ａにレール５１の取付位置（位置決め手段）を予め設定しても良い。位置決め手段としては、例えば図１１に示すように、双方の天井材１３１ａ，１３１ａの上部の下面に、取付ブラケット６１２を嵌め込むための位置決め溝２５ａを設ける。
【００６５】
その他の位置決め手段としては、図示しないが、双方の天井材１３１ａ，１３１ａの上部の下面に図１０のような位置決め部材２５を設けたり、または位置決め線を設定しても良い。また、位置決め部材２５の代わりに、双方の天井材１３１ａ，１３１ａの上部の下面に被係合部材をそれぞれ設け、取付ブラケット６１２に被係合部材と係合する係合部材を設けても良い。また、連結面材２４，２４、木桟１３１ｂ、天井材１３１ａ、レール５１を予め一体にして形成しても良い。この場合には、連結面材２４，２４の取付作業を行うだけでレール５１の取付作業も同時に行われるので、レール５１の取付作業の作業性を向上することができる。
【００６６】
また、レール本体５１１に、可動間仕切５２（複数の間仕切部材５２２）を所定位置に止めておくための規制手段を設けても良い。この規制手段としては、図示しないが、例えば、レール本体１１の側面にストッパー部材をレール本体１１の内外に移動可能に設ける方法が挙げられる。可動間仕切５２を所定位置に止めておく場合にはストッパー部材をレール本体１１内に位置させ、そうでない場合にはレール本体１１の外部に位置させる。また、可動間仕切５２の規制位置は、全開位置、半開き位置、全閉位置の三箇所が挙げられる。しかし、可動間仕切５２の規制位置はこの三箇所に限定されることはなく、さらに細かく設定しても良い。
【００６７】
次に、ライフスタイルの変化に伴う間取りの変更方法について、図１、図１２〜図１５を用いて以下に説明する。
【００６８】
図１は、夫婦が入居する前の二階の間取り図である。各可動間仕切５２（間仕切部材５２２）は、隣接する建物ユニット（１Ａ，１Ｂ）、（１Ｂ，１Ｃ）、（１Ｄ，１Ｅ）、（１Ｅ，１Ｆ）、（１Ａ，１Ｄ）、（１Ｂ，１Ｅ）、（１Ｃ，１Ｆ）の各隙間１０１の両端側に配置されている。つまり、各可動間仕切５２は全開状態となっている。
【００６９】
また、建物ユニット１Ｂ，１Ｅの室内には可動性の収納ユニット３が４台配置されている。この収納ユニット３は、隣接する建物ユニット（１Ａ，１Ｂ）、（１Ｂ，１Ｃ）、（１Ｄ，１Ｅ）、（１Ｅ，１Ｆ）、（１Ａ，１Ｄ）、（１Ｂ，１Ｅ）、（１Ｃ，１Ｆ）の室内空間を仕切るものである。
【００７０】
図１２は、子供が０歳のときの間取り図である。間取りの構成は以下の通りである。
建物ユニット１Ａ・・・階段、踊り場、トイレ
建物ユニット１Ｂ，１Ｃ・・・夫の寝室
建物ユニット１Ｄ・・・妻と子供の寝室
建物ユニット１Ｅ，１Ｆ・・・多目的スペース
【００７１】
上記のような間取りにするために、建物ユニット間に配置されている双方の可動間仕切５２，５２を以下のように設定する。
【００７２】
建物ユニット１Ａ，１Ｂ間・・・中間が開くように閉める。
建物ユニット１Ｂ，１Ｃ間・・・全開にする。
建物ユニット１Ｄ，１Ｅ間・・・中間が開くように閉める。
建物ユニット１Ｅ，１Ｆ間・・・全開にする。
建物ユニット１Ａ，１Ｄ間・・・階段側を閉めて踊り場側を開ける。
建物ユニット１Ｂ，１Ｅ間・・・全閉にする。
建物ユニット１Ｃ，１Ｆ間・・・壁側を閉めて建物中央側を開ける。
【００７３】
このように可動間仕切５２を用いることにより、母と子供を同室にすることが可能になるので、母は子育てに専念できる。
【００７４】
また、２台の収納ユニット３を、建物ユニット１Ａ、１Ｂ間の可動間仕切５２，５２の１Ｂ側（夫の寝室側）につけて配置する。また、残り２台の収納ユニット３を、建物ユニット１Ｂ、１Ｅ間の可動間仕切５２、５２の１Ｅ側（多目的スペース側）につけて配置する。したがって、使用頻度の高い部屋に収納ユニット３が配置される。また、妻と子供の寝室には収納ユニット３が配置されないので、十分なフリースペースを確保できる。よって、可動間仕切５２と、可動性の収納ユニット３とを用いることにより、家族は快適に過ごすことができる。
【００７５】
図１３は、子供が二人になって小学生のときの間取り図である。間取りの構成は以下の通りである。
建物ユニット１Ａ・・・階段、踊り場、トイレ
建物ユニット１Ｂ・・・子供室
建物ユニット１Ｃ・・・子供室
建物ユニット１Ｄ・・・多目的スペース
建物ユニット１Ｅ，１Ｆ・・・寝室
【００７６】
上記のような間取りにするために、建物ユニット間の可動間仕切５２，５２を以下のように設定する。
【００７７】
建物ユニット１Ａ，１Ｂ間・・・壁側を閉めて建物中央側を開ける。
建物ユニット１Ｂ，１Ｃ間・・・壁側を閉めて建物中央側を開ける。
建物ユニット１Ｄ，１Ｅ間・・・壁側を閉めて建物中央側を開ける。
建物ユニット１Ｅ，１Ｆ間・・・全開にする。
建物ユニット１Ａ，１Ｄ間・・・階段側を閉めて踊り場側を開ける。
建物ユニット１Ｂ，１Ｅ間・・・全開にする。
建物ユニット１Ｃ，１Ｆ間・・・全開にする。
【００７８】
このように可動間仕切５２を用いることで、子供室を隣接することが可能になる。したがって、子供が遊ぶときには遊ぶスペースを広く確保でき、勉強するときは個室にすることができる。さらに、可動間仕切５２は、上記で説明したように操作棒５２４ａを用いて間仕切部材５２２を左右に回動させることにより採光性や通気性を容易に調整することが可能であるため、子供室を常に快適な状態にすることができる。
【００７９】
また、４台の収納ユニット３を、建物ユニット１Ｂ，１Ｅ間、１Ｃ，１Ｆ間に２台ずつ配置する。これにより、家族は、自分の部屋にいながらにして収納ユニット３を利用することが可能になるので、快適に過ごすことができる。
【００８０】
図１４は、子供二人が小学生と中学生のときの間取り図である。間取りの構成は以下の通りである。
建物ユニット１Ａ・・・階段、踊り場、トイレ
建物ユニット１Ｂ・・・多目的スペース
建物ユニット１Ｃ・・・子供室
建物ユニット１Ｄ・・・子供室
建物ユニット１Ｅ，１Ｆ・・・寝室
【００８１】
上記のような間取りにするために、建物ユニット間の可動間仕切５２，５２を以下のように設定する。
【００８２】
建物ユニット１Ａ，１Ｂ間・・・全開にする。
建物ユニット１Ｂ，１Ｃ間・・・壁側を閉めて建物中央側を開ける。
建物ユニット１Ｄ，１Ｅ間・・・全閉にする。
建物ユニット１Ｅ，１Ｆ間・・・全開にする。
建物ユニット１Ａ，１Ｄ間・・・階段側を全開にして踊り場側を一部開ける。
建物ユニット１Ｂ，１Ｅ間・・・１Ｃ，１Ｆ側を全開にして１Ａ，１Ｄ側を一部開ける。
建物ユニット１Ｃ，１Ｆ間・・・全開にする。
【００８３】
さらに、２台の収納ユニット３を、建物ユニット１Ｃ，１Ｆ間に配置する。また、残り２台の収納ユニット３を、建物ユニット１Ｂ，１Ｅ間の１Ｃ，１Ｆ側と、１Ａ，１Ｄ間の階段側とにそれぞれ配置する。
【００８４】
このように可動間仕切５２と収納ユニット３を用いることで、二つの子供室を離隔することが可能になる。したがって、中学生の子供は勉強に専念することができる。また、二つの子供室、寝室にそれぞれ収納ユニット３を配置する。これにより、家族は、自分の部屋にいながらにして収納ユニット３を利用することが可能になる。よって、間取りを変更しても快適性を保つことができる。
【００８５】
図１５は、子供二人が独立して夫婦二人になったときの間取り図である。間取りの構成は以下の通りである。
建物ユニット１Ａ・・・階段、踊り場、トイレ
建物ユニット１Ｂ，１Ｅ・・・多目的スペース
建物ユニット１Ｃ・・・夫寝室
建物ユニット１Ｄ・・・ゲストルーム
建物ユニット１Ｆ・・・妻寝室
【００８６】
上記のような間取りにするために、建物ユニット間の可動間仕切５２，５２を以下のように設定する。
【００８７】
建物ユニット１Ａ，１Ｂ間・・・壁側を閉めて建物中央側を全開にする。
建物ユニット１Ｂ，１Ｃ間・・・建物中央側を閉めて壁側を全開にする。
建物ユニット１Ｄ，１Ｅ間・・・全閉にする。
建物ユニット１Ｅ，１Ｆ間・・・建物中央側を閉めて壁側を全開にする。
建物ユニット１Ａ，１Ｄ間・・・壁側を閉めて建物中央側を全開にする。
建物ユニット１Ｂ，１Ｅ間・・・全開にする。
建物ユニット１Ｃ，１Ｆ間・・・建物中央側を閉めて壁側を全開にする。
【００８８】
このように可動間仕切５２を用いることにより、二つの寝室を隣接することが可能になる。ここで、二つの寝室に配置されている建物中央側の可動間仕切５２を全開にすると寝室を同室にすることができ、閉めると別室にすることができる。つまり、二つの寝室を自由に同室にしたり別室にしたりすることが可能になる。
【００８９】
さらに、４台の収納ユニット３を、建物ユニット１Ｂ，１Ｅ（多目的スペース）の壁側に２台ずつ配置する。これにより、多目的スペースと寝室のフリースペースが十分に確保される。よって、夫婦は快適に過ごすことができる。
【００９０】
以上のように、本実施の形態で説明した間取りの変更方法は、可動間仕切５２と可動性の収納ユニット３を用いることにより、ライフスタイルが変化しても住人の好みに応じて間取りを自由に変更することが可能なので、住人は常に快適に過ごすことができる。
【００９１】
また、上記の間仕切構造で説明した規制手段を用いることで、例えば、図１５の建物ユニット１Ｅ，１Ｆ間の可動間仕切５２のように可動間仕切５２を半開きの位置に止めておいたり、または中間位置に止めておくことが可能になる。よって、室内空間のデザイン性に幅を持たせることができる。また可動収納３を各部屋の真ん中に配置すれば部屋数を２倍にすることも可能になる。
【００９２】
以上、本件発明にかかる実施の形態を例示したが、この実施の形態は本件発明の内容を限定するものではない。また、本件発明の請求項の範囲を逸脱しない範囲であれば、各種の変更等は可能である。
【００９３】
例えば、本実施の形態では、個人の住宅の二階の間取りに本件発明を適用した場合を説明したが、一階の間取りに本件発明を適用したり、マンション等の集合住宅に本件発明を適用しても良い。
【産業上の利用可能性】
【００９４】
以上説明したように本件発明のユニット建物の間仕切構造は、室内空間のデザイン性を高めつつ間取りを自由に変更することができる。したがって、本件発明のユニット建物の間仕切構造は、ユニット建物の間仕切構造の技術分野で十分に利用することができる。
【符号の説明】
【００９５】
１    ユニット建物
１Ａ〜１Ｆ    建物ユニット
２    連結部材
３    可動性の収納ユニット
１１    柱
１１ａ  室内側の柱の内壁板  
１１ｃ    内壁板の室内側面
１２    床梁
１３    天井梁
１４    接合枠材
１４ａ    柱当接面（当接面）
１４ｂ    梁当接面（当接面）
２１Ａ    支持材
２１Ｂ    支持材
２２    ボルト（長さ調整手段）
２４    連結面材
３２    床パネル
３３    壁側の柱の内壁板
３３ａ    内壁板の室内側面
５１    レール
５２    可動間仕切
１０１    隙間
１２１    床梁のウェブ
１３１    天井梁のウェブ
１３１ａ    天井材
【図１】
0005704888.tif 000002
【図２】
0005704888.tif 000003
【図３】
0005704888.tif 000004
【図４】
0005704888.tif 000005
【図５】
0005704888.tif 000006
【図６】
0005704888.tif 000007
【図７】
0005704888.tif 000008
【図８】
0005704888.tif 000009
【図９】
0005704888.tif 000010
【図１０】
0005704888.tif 000011
【図１１】
0005704888.tif 000012
【図１２】
0005704888.tif 000013
【図１３】
0005704888.tif 000014
【図１４】
0005704888.tif 000015
【図１５】
0005704888.tif 000016